(57)【要約】      （修正有）【課題】広告物の脱落を防ぎ広告効果を向上させる広告回転装置を提供する。【解決手段】第一固定器１０１と第二固定器１０２とを備え、該第一固定器１０１と第二固定器１０２にはそれぞれ第一固定溝部１０１２と第二固定溝部１０２２を備え、二つの固定溝部はそれぞれ第一広告体と第二広告体を挟み込んで固定し、さらに第二固定器１０２に成形した回転軸１０２３と第一固定器１０１との組み合わせを完成すると、第二固定器１０２は第一固定器１０１に相対して回転する。二つの固定器の回転と同時に連動される第二広告体は第一広告体に相対して回転し、第一固定器１０１と第二固定器１０２の結合を通して、第一広告体と第二広告体全体の安定性及び広告効果を効果的に向上させる。【選択図】図１
0003182119.tif 000002
【実用新案登録請求の範囲】
【請求項１】
一対をなして第一広告体と第二広告体間に設置される広告回転装置は、
どちらか一端には第一広告体の展示区の内側縁に嵌設させるための第一固定溝部を形成し、別の一端には貫通孔を形成する第一取付体を備える第一固定器と、
どちらか一端には第二広告体の外側縁に嵌設させるための第二固定溝部を形成し、別の一端には底部周囲にフランジを形成する回転軸を形成する第二取付体を備える第二固定器と、
第一固定器の貫通孔内に設置し、第二固定器の回転軸に組み合わせる軸孔を備え、これによって、第二固定器は第一固定器に相対して回転し、連動する第二広告体を第一広告体に相対して回転させる軸受とを含むことを特徴とする広告回転装置。
【請求項２】
前記第二固定器の第二固定溝部の外部のどちらか一方側には、ねじを螺着するためのねじ穴を形成することを特徴とする請求項１に記載の広告回転装置。
【考案の詳細な説明】
【技術分野】
【０００１】
本考案は、広告効果を強化するのに用いる広告回転装置であり、特に、迅速に組み立てられ、広告効果を高める広告回転装置である。
【背景技術】
【０００２】
公知の固定式看板は主に、その展示の内容を見せる役割を果たす。例えば、よく見られる布またはプラスチック材料で作製された小型の幟は、風に吹かれて揺れるため注目を集められるが、長い間行われてきたその展示方法には既に新鮮感はなくなっている。また、若干小型の表示装置の多くがレストランの価格表やキャッチコピーに応用されており、装飾品の格調や雰囲気を比較的重視する伝統的なレストランの価格表やキャッチコピーは、直立式に配置し、価格表やキャッチコピーを直接透明のアクリル材製のフレームに差し込むことにより、実用効果とともに装飾効果を兼ね備えさせている。
【０００３】
小型の表示装置は人が簡単に触れられて親近感があるが、厳格に言えば、固定式の一種に属するため、人為的方式でそれに接触するのでないなら、その配置形態を変えることはできず、よって変化性を低下させ、付加価値を向上させることはできない。
【０００４】
前述を受けて、変化性を高めるために、特許文献１の「マグネット吸着式表示装置」では広告効果を強化する装置が開示された。その内容から理解できるとおり、表示部材２は、実際のニーズに応じて装飾図案（図１参照）または価格表等の文字（図２参照）上に設け、表示部材２の上下端の相対位置にはそれぞれ金属部材３を設ける。該金属部材３の好ましい実施例は、金属線を折り曲げて挟持部材に成形するもので、金属部材３の一端には比較的大面積の円形挟持部３１を形成し、もう一つの相対端は比較的小面積の吸着部３２とし、円形挟持部３１で表示部材２の上下端を挟み込み、尚且つ表示部材２を挟持する円形挟持部３１の位置を移動して、二つの挟持部材３の間と二つの磁性部材１４の間の相対距離を調整する。その組立てを完成後、二つの金属部材３を二つの磁性部材１４の間に配置する。この時、上下の金属部材３端部はそれぞれ二つの磁性部材１４に吸着されるため、表示部材２は浮いた形態となり、風に吹かれて動くとき、時計回りに回転し、視覚上には真新しい風貌が形成される。前述した通り、表示部材２は主に、マグネット吸着方式でフレーム体１に固定されている故、表示部材２が例えば強風を受ける等の比較的大きな外部の力が働くと、フレーム体１から離脱して抜け落ち易くなるため、改善は必然である。
【先行技術文献】
【特許文献】
【０００５】
【特許文献１】台湾特許第394441号明細書
【考案の概要】
【考案が解決しようとする課題】
【０００６】
本考案の主な目的は、広告物の脱落を防ぎ広告効果を向上できる広告回転装置の提供にある。
【課題を解決するための手段】
【０００７】
前述の問題に鑑み、本考案の広告回転装置は、主に、第一固定器と第二固定器とを備える。そのうち、二つの固定器はそれぞれ第一固定溝部と第二固定溝部を備え、第一固定溝部と第二固定溝部はそれぞれ第一広告体と第二広告体に嵌設し、さらに第二固定器に成形した回転軸と第一固定器とは回転可能状態で組み合わせ、第一広告体と第二広告体は第一固定器と第二固定器を用いて相対する組み合わせを形成し、外力を通して（例えば風を受ける）第二広告体は第一広告体に相対して回転し、特殊及び安定した広告効果を実現する。
【考案の効果】
【０００８】
本考案の広告回転装置は、広告物の脱落を防ぎ広告効果を向上させる効果を備える。
【図面の簡単な説明】
【０００９】
【図１】本考案の構成要素についての立体図である。
【図２】本考案の組立完成立体図である。
【図３】本考案の構成要素の組立図である。
【図４】本考案の実施例図（1）である。
【図５】本考案の実施例図（2）である。
【図６】本考案の実施例図（3）である。
【図７】本考案のもう一つの実施例図（1）である。
【図８】本考案のもう一つの実施例図（2）である。
【図９】実施例（2）の実施図である。
【考案を実施するための形態】
【００１０】
図１には本考案の構成要素についての立体図を示す。図中の広告回転装置１０は、第一固定器１０１と第二固定器１０２によって構成され、第一固定器１０１には第一取付体１０１１を備え、該第一取付体１０１１の一端には第一固定溝部１０１２を形成し、別の一端には貫通孔１０１３を形成し、貫通孔１０１３には軸受１０２５（即ちベアリング）を取り付ける。第二固定器１０２には第二取付体１０２１を備え、その内の一端には第二固定溝部１０２２を形成し、別の一端には回転軸１０２３を形成し、該回転軸１０２３の底部周囲にはフランジ１０２４を形成する。前記構成要素を組み立てる際は、まず第二固定器１０２の回転軸１０２３を軸受１０２５の軸孔１０２６に挿入することで、第一固定器１０１と第二固定器１０２の組立てが完了する。前記構成要素の組立て完了後の形態は図２の本考案の組立完成立体図に示すとおりである。図中の広告回転装置１０の第一固定器１０１と第二固定器１０２は、常態において一体化し、二つの第一固定器１０１、第二固定器１０２を相対的に回転させる。
【００１１】
図３の本考案の構成要素の組立図に示すとおり、第二固定器１０２は回転軸１０２３を用いて第一固定器１０１との組立てを完了させる。回転軸１０２３は軸受１０２５に挿入後、フランジ１０２４が軸孔１０２６の外側縁を押圧するため、第一固定器１０１と第二固定器１０２の間にはピッチｄ１が形成され、第二固定器１０２が第一固定器１０１に相対して回転する時、二つの第一固定器１０１、第二固定器１０２の間に過大な摩擦力が生じて回転に影響を及ぼすのを防ぐ。
【００１２】
図４には本考案の実施例図（1）を示す。図中の広告回転装置１０、広告回転装置１０’は本考案では一対をなして実施する。前述の説明ではその内の一組の構造についてのみ開示し、別の一組については説明を省いた。図に示した第一広告体１１と第二広告体１２において、該第一広告体１１には展示区１１１を形成し、該展示区１１１はくり貫きエリアとし、第二広告体１２の外観は展示区１１１の形状に係合させて成形する。例えば、本図の展示区１１１は円形をなしており、第二広告体１２の外観も円形とし、第二広告体１２のサイズは展示区１１１より若干小さくする。また、本考案の実施前に、予め二つの第一固定器１０１、第一固定器１０１’をそれぞれ第一固定溝部１０１２、第一固定溝部１０１２’を用いて展示区１１１の内側縁に設置し、これによって二つの第一固定器１０１と第一固定器１０１’は相対する形態をなし、さらに二つの第二固定器１０２と第二固定器１０２’をそれぞれ第二固定溝部１０２２と第二固定溝部１０２２’を通して第二広告体１２の両端に固定する。これにより、二つの第二固定器１０２と第二固定器１０２’と二つの第一固定器１０１と第一固定器１０１’は相対形態をなし、二つの第二固定器１０２と第二固定器１０２’をそれぞれ二つの第一固定器１０１と第一固定器１０１’に組み合わせての取り付けを完了する。その取り付け方式は図１に示すとおりであるので、ここでは説明を省く。
【００１３】
さらに、図５では本考案の実施例図（2）を示す。図に示すとおり、第一固定器１０１の第一固定溝部１０１２は外側から内側に徐々に収縮する形状をなす。これによって、第一固定器１０１が第一固定溝部１０１２を利用して第一広告体１１のエッジに嵌設される時、第一広告体１１を第一固定溝部１０１２内に密着させ、第一固定器１０１との安定した組み合わせが完了する。
【００１４】
図６の本考案の実施例図（3）に示すとおり、第二広告体１２は常態において第一広告体１１の展示区１１１内に設けられる。第二広告体１２全体のサイズが若干展示区１１１より小さいため、第二広告体１２が例えば、風力や押される等の外力を受けた場合、第二広告体１２は展示区１１１に相対して回転し、尚且つ二つの第一固定器１０１と第一固定器１０１’及び第二固定器１０２と第二固定器１０２’の固定を通して、広告物の脱落や広告効果の増加を効果的に防止する。
【００１５】
図７には本考案のもう一つの実施例図（1）を示す。図中の第一広告体１１及び第二広告体１２の全体の外観は、使用者のニーズに応じて変化可能である。本図で示した第一広告体１３及び第二広告体１４において、該第一広告体１３の外観は使用者のニーズに応じて成形し、第二広告体１４は第一広告体１３の展示区１３１に係合させて成形する。これにより、第二広告体１４は第一広告体１３に相対して回転し、本考案を通して広告効果を向上させることができる。
【００１６】
図８には本考案のもう一つの実施例図（2）を示す。図中の第二固定器１０２は、その第二固定溝部１０２２外部の一方側にねじ穴１０２７を形成し、ねじ穴１０２７にはねじ１０２８を螺着する。さらに図９を合わせて参照する。図は実施例（2）の実施図である。第二固定器１０２の第二固定溝部１０２２を第二広告体１２に嵌入した時、使用者はねじ１０２８をねじ穴１０２７に相対して締着し、これによって、第二固定器１０２はさらに安定して第二広告体１２の外側縁に嵌設される。
【００１７】
前述のとおり、本考案の実施後、第一固定器と第二固定器をそれぞれ第一広告体と第二広告体に固定することにより、第一広告体と第二広告体間には安定した組み合わせが完成する。並びに、第二広告体は第一広告体に相対して回転するため、二つの広告体の広告効果を増強させる。よって、本考案の広告回転装置を実施後には、広告物の脱落防止と広告効果の増強を確実に達成することができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１９】
１０  広告回転装置
１０’  広告回転装置
１０１  第一固定器
１０１’  第一固定器
１０１１  第一取付体
１０１２  第一固定溝部
１０１２’  第一固定溝部
１０１３  貫通孔
１０２  第二固定器
１０２’  第二固定器
１０２１  第二取付体
１０２２  第二固定溝部
１０２２’  第二固定溝部
１０２３  回転軸
１０２４  フランジ
１０２５  軸受
１０２６  軸孔
１０２７  ねじ穴
１０２８  ねじ
１１  第一広告体
１１１  展示区
１２  第二広告体
１３  第一広告体
１３１  展示区
１４  第二広告体
ｄ１  ピッチ
【図１】
0003182119.tif 000003
【図２】
0003182119.tif 000004
【図３】
0003182119.tif 000005
【図４】
0003182119.tif 000006
【図５】
0003182119.tif 000007
【図６】
0003182119.tif 000008
【図７】
0003182119.tif 000009
【図８】
0003182119.tif 000010
【図９】
0003182119.tif 000011